(57)【特許請求の範囲】
【請求項１】
気化ガスを燃焼させるバーナと、一端にノズル部、他端に燃料供給口を備えた外管と、前記外管の外周側に配設され高周波交番電流発生部に接続された励磁コイルと、前記外管内に装着した多孔体と、前記多孔体の内側に配設した軸体と、前記ノズル部を磁界により加熱する励磁コイルを備えた液体燃料燃焼装置。
【請求項２】
励磁コイルをノズル部の外周部に設けた請求項１記載の液体燃料燃焼装置。
【請求項３】
励磁コイルを外管とノズル部の双方を囲むように設けた請求項１記載の液体燃料燃焼装置。
【請求項４】
ノズル部を磁性材料で構成した請求項１ないし３のいずれか１項記載の液体燃料燃焼装置。
【請求項５】
気化ガスを燃焼させるバーナと、一端にノズル部、他端に燃料供給口を備えた外管と、前記外管の外周側に配設され高周波交番電流発生部に接続された励磁コイルと、前記外管内に装着した多孔体と、前記多孔体の略中心部に配設した複数の開口を有する中空の軸体と、前記ノズル部と前記複数の開口を有する中空の軸体とを一体で構成した液体燃料燃焼装置。
【請求項６】
ノズル部と複数の開口を有する中空の軸体をネジ構成で接合した請求項５記載の液体燃料燃焼装置。
【請求項７】
複数の開口を有する中空の軸体を磁性材料で構成した請求項５ないし６のいずれか１項記載の液体燃料燃焼装置。
【請求項８】
複数の開口を有する中空の軸体を磁性ステンレスで構成した請求項５ないし７のいずれか１項記載の体燃料燃焼装置。
【発明の詳細な説明】
【０００１】
【発明の属する技術分野】
本発明は液体燃料燃焼装置の特に燃料の気化部に関するものである。
【０００２】
【従来の技術】
従来この種の燃焼装置は、特開平８−６８５０９号公報に示されているようなものが提案されていた。これを図５を用いて説明する。
【０００３】
図中、１は気化部でその上部に円形のバ−ナ受け座２を設け、前記バ−ナ受け座２のほぼ中央にノズル部３を配置し、バ−ナ受け座２とノズル部３の間に燃焼用空気を供給する開口部４を設けてある。そしてノズル部３に連通する連通口５を介して円筒状の気化室６を形成し、気化室６内には燃料の気化を促進するための気化素子７が、またノズル部３の反対側の端部には燃料を供給する給油口８が設けてある。そして気化部１の気化室６の反対側のバ−ナ受け座２の下側の約半周に沿うようにＵ字型のヒ−タ９が配設してある。１０は混合管で多数の炎孔１１を穿設した燃焼部１２とともにバ−ナ受け座２の上部に載置してある。
【０００４】
上記構成において、ヒ−タ９により所定温度まで気化部１が加熱されると給油口８を介して液体燃料は燃料供給手段１３により供給され、高温の気化素子７内で燃料が気化を開始する。気化室６で気化した燃料ガスは連通口５を介してノズル部３より混合管１０内に噴出する。噴出した燃料ガスはエゼクタ効果により燃焼用の１次空気を誘引し混合管１０内で混合されて混合気となり燃焼部１２に穿設した炎孔１１より噴出して燃焼する。そして燃焼により発生した燃焼排ガスは空気と混合して温風となり暖房などに使用される。燃焼を開始すると燃焼熱でバ−ナ受け座２に形成した受熱フランジ２ａを介して気化室を加熱するためにヒ−タ９による加熱が不要となり、自己の燃焼熱で燃料を気化しながら燃焼を継続する。
【０００５】
また、実開平６ー３０６２０号公報に記載されているように、気化部を高周波誘導加熱装置によって加熱する方法が提案されている。
【０００６】
また特開平７ー４８１２８号公報においては、高周波誘導加熱の発熱体として水素貯蔵合金の中心部に金属棒を設けた構成が提案されている。
【０００７】
【発明が解決しようとする課題】
しかしながら、特開平８ー６８５０９号公報に記載されている構成の燃焼装置は、燃焼開始時に気化部を加熱するためにシ−ズヒ−タを使用し、シ−ズヒータで発生した熱を気化部１の金属部を介して燃料を気化するための気化素子７を加熱する間接加熱方式になっている。したがってヒ−タ９に通電してから気化素子７が燃料の気化可能温度に到達するまでの時間が長くなるという課題があった。また、燃焼開始時にヒ−タ９から気化素子７への伝熱速度を促進するためや、燃焼時に燃焼熱を燃料を気化させる熱として効率良く回収するために気化部１に熱伝導の良い黄銅などを使用している。したがって、材料の耐熱性から気化部１の加熱温度に限界があり、液体燃料が気化される際、特に長期間保存されて酸化した変質油や高沸点の異種成分を含む燃料を使用した場合に燃料を完全に気化させることができず、気化素子７内にタ−ル成分が生成し、目詰まりによって燃焼不良を生ずる可能性を有していた。また気化素子７を外周方向から加熱するために気化素子７の中心部の温度が低くなり、前記のタール生成の現象を促進する原因になっていた。そしてまた気化した燃料ガス中には気化不良となった燃料が液滴となってノズル部３へ移動し、ノズル部３内壁に結露してタール化しノズル部３を目詰まりさせることがあった。ノズル部３の目詰まりは燃焼不良を生ずる可能性を有していた。これらの課題の中で燃料の気化可能までの到達時間を短縮する手段として高周波誘導加熱によって気化器を加熱する方法が実開平６ー３０６２０号公報に記載されているが、実用に供すべき具体的な構成等は開示されていない。また加熱部の内部の加熱方法については特開平７ー４８１２８号公報で加熱体として金属棒を設けた構成が記載されているがこれは水素貯蔵合金から水素を放出するための手段であり、液体燃料の気化に関するものは開示されていない。
【０００８】
【課題を解決するための手段】
本発明は上記課題を解決するために、気化ガスを燃焼させるバーナと、一端にノズル部、他端に燃料供給口を備えた外管と、前記外管の外周側に配設され高周波交番電流発生部に接続された励磁コイルと、前記外管内に装着した多孔体と、前記多孔体の略中心部に配設した軸体と、前記ノズル部を磁界により加熱する励磁コイルを備えたものである。
【０００９】
上記発明によれば、高周波交番電流発生部に通電すると接続された励磁コイルに交流が印加され磁界が発生し、励磁コイルの内部に配設してある外管、多孔体、軸体およびノズル部は発生する磁界によって誘起された誘導電流によって発熱するが、外管、多孔体、軸体およびノズル部がそれぞれ自己発熱するために従来のシーズヒーター等による間接加熱に比べ燃料の気化可能温度までの到達時間を大幅に短縮することができる。また自己発熱するために外管と軸体の間にある多孔体は外側（外管側）と内側（軸体側）の両側方向から高温に加熱され、シーズヒータ等による間接加熱方式で見られるような中心部近傍の低温領域がなく、外側から中心部に向かって高温でほぼ同等の温度分布となる。従って燃料供給口から供給された燃料は多孔体内を拡散移動するが多孔体内全域で高温で気化することが可能となり長期間保存されて酸化した変質油や高沸点成分を含む燃料を使用してもほぼ完全に気化させ、タール化を抑制することができる。そしてまたノズル部は磁界によって誘起された誘導電流によって発熱し高温となるため、ノズル部において燃料は液滴として存在することはなく、もし万が一仮にノズル部内壁に燃料が結露したとしてもほぼ完全に気化させ、ノズル部のタール化を抑制することができる。
【００１０】
【発明の実施の形態】
本発明の請求項１にかかる液体燃料燃焼装置は気化ガスを燃焼させるバーナと、一端にノズル部、他端に燃料供給口を備えた外管と、前記外管の外周側に配設され高周波交番電流発生部に接続された励磁コイルと、前記外管内に装着した多孔体と、前記多孔体の略中心部に配設した軸体と、前記ノズル部を磁界により加熱する励磁コイルを有する。
【００１１】
そして、高周波交番電流発生部に通電すると接続された励磁コイルに交流が印加され磁界が発生し、励磁コイルの内部に配設してある外管、多孔体、軸体およびノズル部は発生する磁界によって誘起された誘導電流によって発熱するが、外管、多孔体、軸体およびノズル部がそれぞれ自己発熱するために従来のシーズヒータ等による間接加熱に比べ燃料の気化可能温度までの到達時間は大幅に短縮することができる。また自己発熱するために外管と軸体の間にある多孔体は外側と内側の両側方向から高温に加熱され、シーズヒータ等による間接加熱方式で見られるような中心部近傍の低温領域がなく、外側から中心部に向かって高温でほぼ同等の温度分布となる。従って燃料供給口から供給した燃料は多孔体内を拡散移動するが多孔体内全域で高温で気化することが可能となり長期間保存されて酸化した変質油や高沸点成分を含む燃料を使用してもほぼ完全に気化させ、タール化を抑制することができる。そしてまたノズル部は磁界によって誘起された誘導電流によって発熱し高温となるため、ノズル部において燃料は液滴として存在することはなく、もし万が一仮にノズル部内壁に燃料が結露したとしてもほぼ完全に気化させ、ノズル部のタール化を抑制することができる。
【００１２】
本発明の請求項２にかかる液体燃料燃焼装置は励磁コイルをノズル部の外周部に設けたものである。
【００１３】
そして、ノズル部の外周部に設けた励磁コイルによってノズル部は発熱し高温にできる。
【００１４】
本発明の請求項３にかかる液体燃料燃焼装置は励磁コイルを外管とノズル部の双方を囲むように設けたものである。
【００１５】
そして、外管とノズル部の双方を囲むように設けた励磁コイルによって、励磁コイルを共用化できるので構成が簡単にできる。
【００１６】
本発明の請求項４にかかる液体燃料燃焼装置はノズル部を磁性材料で構成したものである。
【００１７】
そして、磁性材料は透磁率が高いため、磁性材料で構成したノズル部はより発熱し高温化できるのでノズル部のタール化をより抑制することができる。
【００１８】
本発明の請求項５にかかる液体燃料燃焼装置は気化ガスを燃焼させるバーナと、一端にノズル部、他端に燃料供給口を備えた外管と、前記外管の外周側に配設され高周波交番電流発生部に接続された励磁コイルと、前記外管内に装着した多孔体と、前記多孔体の略中心部に配設した複数の開口を有する中空の軸体と、前記ノズル部と前記複数の開口を有する中空の軸体とを一体で構成したものである。
【００１９】
そして、軸体を中空にしたものであり、動作初期に励磁コイルで発生した磁界により、軸体が誘導電流により発熱を開始するが、一般的に高周波誘導加熱は表皮効果が大きいことから発熱に寄与するのは軸体の表面のみであり、軸体を中空の構成にして軸体の熱容量を減じることにより発熱効果を損なうことなく軸体の昇温速度を速めることができる。またノズル部と前記複数の開口を有する中空の軸体とを一体で構成しているので発熱して高温になった中空の軸体からの伝熱によってノズル部は高温になるため、ノズル部のタール化を抑制することができる。
【００２０】
本発明の請求項６にかかる液体燃料燃焼装置はノズル部と複数の開口を有する中空の軸体をネジ構成で接合したものである。
【００２１】
そして、ネジ構成により高温になった中空の軸体からの伝熱によってノズル部は高温になるため、ノズル部のタール化を抑制することができる。
【００２２】
本発明の請求項７にかかる液体燃料燃焼装置は複数の開口を有する中空の軸体を磁性材料で構成したものである。
【００２３】
そして、磁性材料は透磁率が高いため、磁性材料で構成した複数の開口を有する中空の軸体はより発熱し高温化できる。
【００２４】
本発明の請求項８にかかる液体燃料燃焼装置は複数の開口を有する中空の軸体を磁性ステンレスで構成したものである。
【００２５】
そして、磁性ステンレスは銅合金等に比べて耐熱性が優れているために複数の開口を有する中空の軸体の温度を高くできるので、気化部の温度を従来より高く設定できることから、さらに高温で燃料を気化することが可能となりタール化をより抑制することができる。
【００２６】
【実施例】
以下、本発明の実施例について図面を用いて説明する。
【００２７】
（実施例１）
図１は本発明の実施例１の液体燃料燃焼装置の要部断面図である。
【００２８】
図１において１４は燃料を気化する気化部、１５は気化部１４の外殻をなす外管、１６は外管１５内に装着された多孔体、１７は多孔体１６の略中心に配置された軸体、１８は外管１５の外周を覆うように設けた絶縁ボビン、１９は絶縁ボビン１８の外周に巻かれ磁界を発生する励磁コイル、２０は外管１５の一端に設けられ燃料ガスを噴出するノズル部、２１はノズル部２０の外周部に設けたノズル部２０を磁界により加熱する励磁コイル、２２は外管１５の他端に設けた燃料供給口である。外管１５とノズル部２０、燃料供給口２２は内部に多孔体１６と軸体１７を挿入した後、必要な開口部を除いて溶接等でシールしてある。２３は燃料が通る送油管、２４は気化部１４に燃料を供給する燃料ポンプ、２５は励磁コイル１９、２１に接続した高周波交番電流発生部である。２６は燃料ガスを燃焼させるためのバーナで、燃料ガスと空気を混合する混合部２７と燃焼火炎を形成する炎口部２８が設けてある。
【００２９】
次に動作、作用について説明すると、高周波交番電流発生部２５に通電すると、交流電力が発生し、接続された励磁コイル１９、２１に送られ、励磁コイル１９、２１のそれぞれの周囲に交流磁界が発生する。供給された交流のサイクルにしたがって磁界の磁力線の方向が変化すると外管１５、多孔体１６、軸体１７およびノズル部２０の中にその磁界変化を阻止しようとする電気的力が作用し励磁コイル１９、２１内に流れる電流と逆方向の電流が誘起される。この誘起された誘導電流は外管１５、多孔体１６、軸体１７およびノズル部２０の中を流れその抵抗によって発熱する。この際外管１５、多孔体１６、軸体１７およびノズル部２０は誘導電流によってそれぞれが自己発熱するために従来のシーズヒーター等による間接加熱に比べ昇温時間は大幅に短縮される。気化部１４の温度が温度検知手段（図示せず）によって所定の温度に到達したことを検知すると、燃料ポンプ２４が作動を開始し燃料タンク（図示せず）内の燃料を送油管２３を介して燃料供給口２２より気化部１４内に供給する。気化部１４内に供給された燃料は加熱された多孔体１６の細孔を浸透拡散しながら加熱され気化し、気化した燃料ガスはノズル部２０からバーナ２６の混合部２７内に噴出する。混合部２７内に燃料ガスが噴出する際に噴出によって生じるエゼクタ効果により周辺より空気を吸引し、混合部２７内で燃料ガスと空気が混合し予混合気となって炎口部２８より送出される。炎口部２８より送出された予混合気に点火手段（図示せず）で点火すると燃焼を開始する。
【００３０】
本発明の構成によれば、励磁コイル１９の内部に配設してある外管１５、多孔体１６、軸体１７は発生する磁界によって誘起された誘導電流によって発熱するが、外管１５、多孔体１６、軸体１７がそれぞれ自己発熱するために従来のシーズヒーター等による間接加熱に比べ燃料の気化可能温度までの到達時間を大幅に短縮することができる。また自己発熱するために外管１５と軸体１７の間にある多孔体１６は外側（外管１５側）と内側（軸体１７側）の両側方向から高温に加熱され、シーズヒータ等による間接加熱方式で見られるような中心部近傍の低温領域がなく、外側から中心部に向かって高温でほぼ同等の温度分布となる。したがって多孔体１６の径方向断面の温度分布は従来の外周方向からのみの加熱方法に比べて低温部がないために大幅に良くなり多孔体１６内のほぼ全域で燃料を高温で気化することが可能となった。そのために長期間保存されて酸化した変質油や高沸点成分を含む燃料を使用してもほぼ全量を気化することが可能となりタール分の生成を抑制することができる。そして同時に励磁コイル２１の内部に配設してあるノズル部２０は発生する磁界によって誘起された誘導電流によって発熱し高温となるため、ノズル部２０において燃料は液滴として存在することはなく、もし万が一仮にノズル部２０内壁に燃料が結露したとしてもほぼ完全に気化させ、ノズル部のタール化を抑制することができる。そしてノズル部２０を構成する材料とし磁性材料を使用することが好ましく、磁性材料は透磁率が高いため、磁性材料で構成したノズル部２０はより発熱し高温化できるのでノズル部２０のタール化をより抑制することができる。
【００３１】
（実施例２）
図２は本発明の実施例２の液体燃料燃焼装置の気化部の断面図である。
【００３２】
実施例２において、実施例１と異なる点はノズル部２０外周と外管１５外周を覆うように絶縁ボビン２９を設け、絶縁ボビン２９の外周に巻かれ磁界を発生する励磁コイル３０を外管１５とノズル部２０の双方を囲むように設けた構成にしたことである。
【００３３】
なお、実施例１と同一符号のものは同一構造を有し、説明は省略する。
次に動作、作用を説明すると、動作開始時に高周波交番電流発生部（図示せず）に通電すると接続された励磁コイル３０の周囲に交流磁界が発生する。供給された交流のサイクルにしたがって磁界の磁力線の方向が変化すると外管１５、多孔体１６、軸体１７、ノズル部２０の中にその磁界変化を阻止しようとする電気的力が作用し励磁コイル３０内に流れる電流と逆方向の電流が誘起される。この誘起された誘導電流は外管１５、多孔体１６、軸体１７、ノズル部２０内を流れその抵抗によって発熱する。この際外管１５、多孔体１６、軸体１７、ノズル部２０は誘導電流によってそれぞれが自己発熱するために従来のシーズヒーター等による間接加熱に比べ昇温時間は大幅に短縮され、燃料の気化可能温度までの到達時間を大幅に短縮することができる。そしてシーズヒータ等による間接加熱方式で見られるような中心部近傍の低温領域がなく、外側から中心部に向かって高温でほぼ同等の温度分布となる。したがって多孔体１６の径方向断面の温度分布は従来の外周方向からのみの加熱方法に比べて低温部がないために大幅に良くなり多孔体１６内のほぼ全域で燃料を高温で気化することが可能となった。そのために長期間保存されて酸化した変質油や高沸点成分を含む燃料を使用してもほぼ全量を気化することが可能となりタール分の生成を抑制することができる。そして同時に励磁コイル３０の内部に配設してあるノズル部２０は発生する磁界によって誘起された誘導電流によって発熱し高温になっているため、ノズル部２０において燃料は液滴として存在することはなく、もし万が一仮にノズル部２０内壁に燃料が結露したとしてもほぼ完全に気化させ、ノズル部のタール化を抑制することができる。そしてノズル部２０を構成する材料とし磁性材料を使用することが好ましく、磁性材料は透磁率が高いため、磁性材料で構成したノズル部２０はより発熱し高温化できるのでノズル部２０のタール化をより抑制することができる。そして励磁コイル３０で気化部１４とノズル部２０の双方を発熱加熱することができるので、励磁コイルの共用化が図れて構成が簡単にできる。
【００３４】
（実施例３）
図３は本発明の実施例３の液体燃料燃焼装置の気化部の断面図である。
【００３５】
実施例３において、実施例１と異なる点は多孔体１６の略中心部に配設した複数の開口３２を有する中空の軸体３１と、ノズル部２０と中空の軸体３１とを一体で構成したことである。
【００３６】
なお、実施例１と同一符号のものは同一構造を有し、説明は省略する。
次に動作、作用を説明すると、高周波交番電流発生部（図示せず）に通電すると接続された励磁コイル１９の周囲に交流磁界が発生する。供給された交流のサイクルにしたがって磁界の磁力線の方向が変化すると外管１５、多孔体１６、中空の軸体３１の中に誘導電流が発生し発熱する。燃料ポンプ２４が作動を開始し燃料供給口２２より気化部１４内に供給された燃料は加熱された多孔体１６の細孔を浸透拡散しながら加熱され気化し、気化した燃料ガスは中空の軸体３１に穿設された複数の開口３２から中空の軸体３１内へ送出される。中空の軸体３１の燃料供給口２２側は軸栓３３が設けられているから燃料ガスは中空部３４をノズル部２０側に移動してノズル部２０から噴出して燃焼する。一般的に高周波誘導加熱は表皮効果が大きいことから発熱に寄与するのは軸体の表面のみであり、中空の軸体３１の構成にして軸体の熱容量を減じることにより発熱効果を損なうことなく中空の軸体３１の昇温速度を速めることができる。そしてシーズヒータ等による間接加熱方式で見られるような中心部近傍の低温領域がなく、外側から中心部に向かって高温でほぼ同等の温度分布となる。したがって多孔体１６の径方向断面の温度分布は従来の外周方向からのみの加熱方法に比べて低温部がないために大幅に良くなり多孔体１６内のほぼ全域で燃料を高温で気化することが可能となった。そのために長期間保存されて酸化した変質油や高沸点成分を含む燃料を使用してもほぼ全量を気化することが可能となりタール分の生成を抑制することができる。そしてノズル部２０と前記複数の開口３２を有する中空の軸体３１とを一体で構成しているので発熱して高温になった中空の軸体３１からの伝熱によってノズル部２０は高温になるため、ノズル部２０のタール化を抑制することができる。そして複数の開口３２を有する中空の軸体３１を構成する材料としては磁性材料を使用することが好ましく、磁性材料は透磁率が高いため、磁性材料で構成した複数の開口３０を有する中空の軸体３１はより発熱し高温化できるので上記の効果をより得ることができる。そして磁性材料としてはＳＵＳ４３０等の磁性ステンレスを使用すると、耐熱性に優れていることから気化部１４の高温化が可能になり長期間保存されて酸化した変質油や燃料中の高沸点成分の気化が確実にできタール抑制にさらに効果が得られるとともに、耐蝕性に優れていることから耐久寿命が長いこと等の効果が得られる。
【００３７】
（実施例４）
図４は本発明の実施例４の液体燃料燃焼装置の気化部の断面図である。
【００３８】
実施例４において、実施例３と異なる点はノズル部２０と複数の開口３２を有する中空の軸体３１をネジ部３５構成で接合したことである。
【００３９】
なお、実施例３と同一符号のものは同一構造を有し、説明は省略する。
そして、実施例３記載の効果と同様な効果が得られると同時に、ノズル部２０と複数の開口３２を有する中空の軸体３１とをネジ部３５で接合しているので、発熱して高温になった中空の軸体３１からの熱をネジ部３５の伝熱によってノズル部２０は高温になるため、ノズル部２０のタール化を抑制することができる。
【００４０】
【発明の効果】
以上説明したように本発明の請求項１にかかる液体燃料燃焼装置によれば、励磁コイルを巻いた外管の中に多孔体と軸体を配設し、ノズル部に励磁コイルを備えた構成にしているので外管、多孔体、軸体、およびそしてノズル部は誘導電流によってそれぞれが自己発熱するために従来のシーズヒーター等による間接加熱に比べ昇温時間は大幅に短縮され、燃料の気化可能温度までの到達時間を大幅に短縮することができる。そして多孔体の径方向の内周側まで高温に加熱されるために温度分布が良くなり燃料の気化が促進されるのでタール生成が抑制できる。そしてノズル部は誘導電流によって発熱し高温となるため、ノズル部において燃料は液滴として存在することはなく、もし万が一仮にノズル部内壁に燃料が結露したとしてもほぼ完全に気化させ、ノズル部のタール化を抑制することができる。
【００４１】
また請求項２にかかる液体燃料燃焼装置は励磁コイルを巻いた外管の中に多孔体と軸体を配設し、励磁コイルをノズル部の外周部に設けた構成にしているのでノズル部を高温にできる。
【００４２】
また請求項３にかかる液体燃料燃焼装置は励磁コイルを外管とノズル部の双方を囲むように設けた構成とし、励磁コイルの共用化が図れるので構成が簡単にできる。
【００４３】
また請求項４にかかる液体燃料燃焼装置はノズル部を磁性材料で構成しているので、磁性材料は透磁率が高いため、磁性材料で構成したノズル部はより発熱し高温化できるので、ノズル部のタール化をより抑制することができる。
【００４４】
また請求項５にかかる液体燃料燃焼装置は軸体を複数の開口を有する中空の軸体とし、ノズル部と複数の開口を有する中空の軸体とを一体で構成しているので、軸体の熱容量が低減され電源投入から気化可能温度への到達時間をより短縮できる。そして多孔体の径方向の内周側まで高温に加熱されるために温度分布が良くなり燃料の気化が促進されるのでタール生成が抑制できる。そしてノズル部は中空の軸体からの伝熱で高温となるため、ノズル部において燃料は液滴として存在することはなく、もし万が一仮にノズル部内壁に燃料が結露したとしてもほぼ完全に気化させ、ノズル部のタール化を抑制することができる。
【００４５】
また請求項６にかかる液体燃料燃焼装置は軸体を複数の開口を有する中空の軸体とし、ノズル部と複数の開口を有する中空の軸体とをネジ構成で接合した構成としているので、高温になった複数の開口を有する中空の軸体からの伝熱によってノズル部は高温になりノズル部のタール化を抑制することができる。
【００４６】
また請求項７にかかる液体燃料燃焼装置は複数の開口を有する中空の軸体を磁性材料で構成しているので、磁性材料は透磁率が高いため、磁性材料で構成した複数の開口を有する中空の軸体はより発熱し高温化できる。
【００４７】
本発明の請求項８は複数の開口を有する中空の軸体を磁性ステンレスで構成しているので上記の効果と同様な効果が得られると同時に、磁性ステンレスは銅合金等に比べて耐熱性が優れているために複数の開口を有する中空の軸体の温度を高くできるので、気化部の温度を従来より高く設定できることから、さらに高温で燃料を気化することが可能となりタール化をより抑制することができる。
【図面の簡単な説明】
【図１】本発明の実施例１の液体燃料燃焼装置の要部断面図
【図２】本発明の実施例２の液体燃料燃焼装置の気化部の断面図
【図３】本発明の実施例３の液体燃料燃焼装置の気化部の断面図
【図４】本発明の実施例４の液体燃料燃焼装置の気化部の断面図
【図５】従来の液体燃料燃焼装置の要部断面図
【符号の説明】
１４  気化部
１５  外管
１６  多孔体
１７  軸体
１９，２１，３０  励磁コイル
２０  ノズル部
２２  燃料供給口
２５  高周波交番電流発生部
２６  バーナ
３１  中空の軸体
３２  複数の開口
３５  ネジ部
【図１】
0003624638.tif 000002
【図２】
0003624638.tif 000003
【図３】
0003624638.tif 000004
【図４】
0003624638.tif 000005
【図５】
0003624638.tif 000006